(57)【特許請求の範囲】
【請求項１】
屈曲性壁を有し液体製品(2)、特に液状の食品を充填する容器であって、屈曲性壁(3)の内側の孔開け前の位置(21)に内部接続器具(4)が設けられ、内部接続器具(4)と外部接続器具(5)とが互いに接続可能であり、そして容器(1)から液体製品(2)が取り出せるよう、外部接続器具(5)によって、柔軟な壁(3)の孔開け前の位置(21)に孔を開けられるようにした容器において、外部接続器具(5)が、接続手段(15)と、接続手段(15)に対して移動可能な孔開け手段(6)を含んでおり、
接続手段(15)が内部接続器具(4)に対する接続位置に移動し、接続位置では、孔開け前の屈曲性壁(3)が接続手段(15)と内部接続器具(4)の間に挟まれ、
そして孔開け手段(6)が、接続手段(15)が内部接続器具(4)に対する接続位置に来たとき屈曲性壁(3)に孔を開けるようにしたものであり、
前記接続手段(15)が保持部材(17、18)を有し、内部接続器具(4)に対して半径方向の接続方向(K)に移動可能であり、接続手段(15)の保持部材(17、18)が、屈曲性壁(3)の部分(19、20)を内部接続機器(4)の保持部材(13、14)に押しつけて、屈曲性壁(3)の部分(19、20)を内部接続器具(4)の保持部材(13、14)の間に押し込むようになっており、そして孔開け手段(6)と外部接続器具(5)とが、内部接続器具(4)に対して軸方向の孔開け方向(H)に移動して屈曲性壁(3)の部分(21)に孔を開ける容器。
【請求項２】
前記接続部材(15)がＵ字形断面の外部接続部材(16)を有し、内部接続器具(4)が外部接続部材(16)にはまり込む内部接続部材(8)を有し、そして外部及び内部接続部材(16、8)が、接続部材(15)と内部接続器具(4)の間に屈曲性壁(3)の部分(19、20)を挟み込む隙間を形成している請求項１に記載の容器。
【請求項３】
屈曲性壁(3)に孔開けするために、前記孔開け手段(6)が接続手段(15)に対して回転可能である請求項１又は２記載の容器。
【請求項４】
接続部材(15)及び／又は内部接続器具(4)に、接続手段(15)と内部接続器具(4)が所定の接続位置(KL)に来たとき、接続部材(15)と内部接続機器(4)をその位置で停止させる停止手段(23)が設けられている請求項１〜３のいずれか１つに記載の容器。
【請求項５】
内部接続器具(4)が屈曲性壁(3)の未開放部分(21)に覆われた開口(9)を有し、外部接続器具(5)が内部接続器具(4)に対する接続位置(KL)に来たとき、開口(9)に対して孔開け手段(6)が芯出しされて孔開け手段(6)が開口(9)を覆った屈曲性壁（３）に孔開けできるよう、外部接続器具(5)に芯出し部材(22)が設けられている請求項１〜４のいずれか１つに記載の容器。
【請求項６】
接続部材(15)と内部接続器具(4)とが接続されるとき、屈曲性壁(3)の部分(19、20)が、接続部材(15)と内部接続器具(4)の間の空隙に合致した形状となる請求項１〜５のいずれか１つに記載の容器。
【請求項７】
内部接続器具(4)が連結部材(11)で連結された第１及び第２環状部材(8a、8b)を有し、第１環状部材(8a)が屈曲性壁(3)の内面に固定又は近接して設けられた容器において、
第１環状部材(8a)が連結部材(11)の間で反対方向で外側に突出した保持部材(13、14)を有する内部接続部材を形成し、外部接続器具(5)が反対方向で内側に突出した保持部材(17、18)を有し、外部接続器具(5)の内側に突出する保持部材(17、18)が、屈曲性壁(3)の内側に固定又は近接して設けられた環状部材(8a)から外側に突出する保持部材(13、14)に食い込んだ状態で、内部及び外部接続器具(4、5)が屈曲性壁(3)の未開放部分(21)を挟んで接続される請求項１〜６のいずれか１つに記載の容器。
【請求項８】
接続された外部及び内部接続器具(5、4)の軸方向に延びる中心線(C)の周りを回転可能なように、孔開け手段(9)が接続部材(15)に設けられており、孔開け手段(6)を中心線(C)の周りで回転させて、孔開け部材(6)が屈曲性壁(3)に孔(7)を開ける孔開け部分(21)に来るようにした請求項１〜７のいずれか１つに記載の容器。
【請求項９】
孔開け手段(6)が１回転以下の回転で待機位置(BL)から孔開け位置(HL)に達する請求項８記載の容器。
【請求項１０】
孔開け手段(6)が屈曲性壁(3)の部分(21)に孔を開けて内部接続器具(4)の開口(9)に侵入する孔開け部材(27)を有し、孔開け部材(27)が少なくとも軸方向外方に突出し、孔開け手段(6)が回転して屈曲性壁(3)に孔(7)を開ける切削部材(28)を有する請求項８又は９に記載の容器。
【請求項１１】
外側接続器具(5)が内部接続器具(4)の開口(9)に芯を合わせて孔開け手段(6)を侵入させる内ねじ(24)からなる芯出し部材(22)を有し、孔開け部材(6)が芯出し部材(22)の内ねじ(24)と係合する１つ又は複数の突出部(26)を有し、そして、孔開け手段(6)が芯出し手段(22)に対して回転するとき、内ねじ(24)と突出部(26)が係合して孔開け手段(6)を待機位置(BL)から屈曲性壁(3)に孔(7)を開ける孔開け位置(HL)にガイドする請求項８〜１０のいずれか１つに記載の容器。
【請求項１２】
孔開け手段(6)に、孔(7)を通じて容器(1)から流出する製品(2)を貫流させる貫流路(33)が設けられている請求項８〜１１のいずれか１つに記載の容器。
【請求項１３】
孔開け手段(6)に、屈曲性壁(3)に孔開けした後、内部接続器具(4)への孔開け手段(6)の侵入深さを制限する段部(29)を設けた請求項１〜１２のいずれか１つに記載の容器。
【請求項１４】
孔開け手段(6)が軸方向中心線(C)に対して半径方向に向いた回転用ハンドル(30)を有し、また孔開け手段(6)には、製品(2)を取り出す貫流路(33)と、ホース(32)の接続部(31)が設けられている請求項１〜１３のいずれか１つに記載の容器。
【請求項１５】
屈曲性壁(3)が、外部接続器具(5)を内部接続器具(4)に接続する際に破れない弾力性を有している請求項１〜１４のいずれか１つに記載の容器。
【請求項１６】
内部接続器具(4)が屈曲性壁(3)の内側に固定されている請求項１〜１５のいずれかに記載の容器。
【請求項１７】
屈曲性壁を有し、液体製品(2)、特に液状の食品を充填する容器の製造方法であって、内部接続器具(4)が屈曲性壁(3)の未開放部分(21)の内側に設けられ、内部接続器具(4)と外部接続器具(5)が互いに接続可能であり、そして外部接続器具(5)が、屈曲性壁(3)の未開放部分(21)に容器(1)から液体製品(2)を取り出す孔を開けるようにした容器の製造方法において、
接続部材(15)と内部接続器具(4)の間に屈曲性壁(3)の未開放部分(21)を挟んで、外部接続器具(5)の一部をなす接続部材(15)を、内部接続器具(4)に接続し、孔開け手段(6)を接続部材(15)に対して移動させて屈曲性壁(3)の未開放部分(21)に孔を開ける方法であり、
外部接続器具(5)を内部接続器具(4)に対して半径方向接続方向(K)に移動させて両接続器具が所定の接続位置(KL)に来たとき、孔開け手段(6)を軸方向の孔開け方向(H)に動かして未開放部分(21)に孔(7)が開けられるよう、屈曲性壁(3)の未開放部分(21)を挟んで外部接続器具(5)を内部接続器具(4)に接続することを特徴とする容器の製造方法。
【請求項１８】
孔開け手段(6)を回転させて屈曲性壁(3)に孔(7)を開ける請求項１７に記載の容器の製造方法。
【請求項１９】
屈曲性壁を有し、液体製品(2)、特に液状の食品を充填する容器を接続する接続器具であって、内部接続器具(4)が屈曲性壁(3)の未開放部分(21)の内側に設けられ、内部接続器具(4)と外部接続器具(5)が互いに接続可能であり、そして外部接続器具(5)が、屈曲性壁(3)の未開放部分(21)に、容器(1)から液体製品(2)を取り出すための孔開けをするようにした容器の接続器具において、
外部接続器具(5)が、接続部材(15)と、接続部材(15)に対して移動可能な孔開け手段(6)を有し、
接続部材(15)が保持部材(17、18)を有し、
接続部材(15)が内部接続器具(4)に対する所定の接続位置に来て、そこで屈曲性壁(3)が接続手段(15)と内部接続器具(4)の間に破れない状態で位置し、
そして接続部材(15)が内部接続器具(4)に対する接続位置に来たとき、屈曲性壁(3)に孔を開ける孔開け手段(6)が設けられているものであり、
接続部材(15)が内部接続器具(4)に対して半径方向の接続方向(K)に移動して、保持部材(17、18)が屈曲性壁(3)の部分(19、20)を内部接続器具(4)の保持部材(13、14)との間で挟み、接続部材(15)の保持部材(17、18)が、屈曲性壁(3)の部分(19、20)を内部接続器具(4)の保持部材(13、14)に押しつけ、そして孔開け手段(6)と外部接続器具(5)とが、内部接続器具(4)に対して軸方向の接続方向(H)に動いて孔開け位置(21)に来る接続器具。
【請求項２０】
接続手段(15)と内部接続器具(4)が接続された後、屈曲性壁(3)に孔を開けるため、接続手段(15)に対して、孔開け手段(6)が回転可能である請求項１９記載の接続器具。
【発明の詳細な説明】
【０００１】
【発明の属する技術分野】
本発明は、屈曲性壁を有し、液体製品、特に液状の食品を充填した容器であって、閉じた屈曲性壁の内側に内部接続器具が設けられ、内部接続器具と外部接続器具とが接続可能であり、外部接続器具が、閉じた屈曲性壁に孔を開ける孔開け手段を有し、その孔から液体製品を小出しするようにした容器に関する。また本発明は、上記の容器の製造方法及び容器の接続器具に関する。
【０００２】
【従来の技術と発明が解決しようとする課題】
壁が屈曲性材料で構成された容器と、内部及び外部接続器具が米国特許第４，６０３，７９３号に開示されている。この容器では、両接続器具の接続と同時に容器の壁に孔が開けられる。この容器は、通常はこれによって機能を果たすが、壁の材料によっては、接続器具の接続／孔開け時に液漏れが生じる。
【０００３】
本発明の課題は、屈曲性壁を有し液体製品を充填した容器及びその製法及び容器の接続器具において、接続時における液漏れを防止することである。
【０００４】
【課題を解決するための手段】
上記の課題は、請求項１の特徴部分に記載の事項、即ち、外部接続器具が、接続手段と、接続手段に対して移動可能な孔開け手段を有し、接続手段が屈曲性壁を挟んで内部接続器具に対する接続位置に移動した後、孔開け手段が移動して屈曲性壁に孔を開けることによって達成される。
【０００５】
これによると、屈曲性壁に孔を開けることなく内部接続器具と外部接続器具とが密閉状態で接続された後、孔開け手段が屈曲性壁に孔開けを行うため容器からの液漏れが生じない。
【０００６】
【発明の実施の形態】
以下、図面に基づいて本発明を実施形態を詳細に説明する。
【０００７】
各図において、液体製品２、特に、粘性の低い飲み物から粘性の高いケチャップ、マスタード、ソースなどの液状の食品を充填する容器１が図示されている。容器１は、プラスチック材料の屈曲性壁３を有する袋型の容器である。
【０００８】
外部接続器具５には、屈曲性壁３に孔７を開けるための孔開け手段６が設けられ、容器１の液体製品２は、内部接続器具４、孔７、及び外部接続器具５を通じて取り出される。
【０００９】
孔開け手段６は、内部接続器具４及び外部接続器具５の接続時に屈曲性壁３に孔７を開けるのではなく、両接続器具４、５を接続した後に孔７の孔開けが行われる。
【００１０】
内部接続器具４には、開口９を有する第１環状部材８ａの形の接続部材８が含まれる。この第１環状部材８ａは屈曲性壁３の内側に接触又は近接して設けられ、内部接続器具４は又、第２環状部材８ｂを有し、両環状部材８ａ、８ｂは２個又はそれ以上の連結部材１１に連結され、それらの間の側面に開口１２を形成している。
【００１１】
連結部材１１は内部接続器具４に対して軸方向に延び、連結部材１１の間で互いに反対方向に突出する保持部材１３、１４が設けられている。
【００１２】
外部接続器具５には又接続部材１５が含まれ、屈曲性壁３に孔を開けることなく、接続手段１５と、内部接続器具４の内部接続部材８との間に壁３を挟み込んで接続される。
【００１３】
接続手段１５と内部接続器具４を接続するために、接続手段１５には、接続部材１６の半径方向に向いた２つの保持部材１７、１８を有する望ましくはＵ字形断面の外部接続部材１６が設けられている。内部接続器具４の内部接続部材８は、屈曲性壁３の未開放部分を挟んで外部接続部材１６に差し込まれるため、内部接続部材８と外部接続部材１６の間に屈曲性壁３を挟むスペースが設けられている。
【００１４】
接続部材１５と内部接続器具４とを接続する際、接続部材１５は、その外部接続部材１６が、屈曲性壁３を内部接続器具４の側面に押しつけた状態で内部接続器具４に接続される。接続部材１５と共に屈曲性壁３が内部接続器具４に向かって半径方向の接続方向Ｋに押し込まれ、屈曲性壁３の部分１９、２０が、接続部材１５の保持部材１７、１８と、内部接続器具４の内部接続部材８の保持部材１３、１４の間に挟まれる。この内部接続器具４に対する接続部材１５の移動により、接続部材１５の外部接続部材１６は、屈曲性壁３の中間部分１９、２０を挟んで内部接続器具４の内部接続部材８に押しつけられる。この接続により、接続部材１５と内部接続器具４との間に挟まれた屈曲性壁３の未開放部分２１が内部接続部材８の開口９を覆う。
【００１５】
接続部材１５には、また孔開け手段６を内部接続器具４の開口９の中心で保持する芯出し部材２２が設けられている。接続部材１５の芯出し部材２２が開口９の位置に達したとき、屈曲性壁３を介して内部接続器具４に当接して内部接続器具４に対する接続部材１５の移動を停止させるストッパ部材２３が接続部材１５に設けられているため、この芯出しは容易にできる。
【００１６】
接続部材１５の芯出し部材２２には内ねじ２４が設けられ、芯出し部材２２と係合する孔開け手段６の部材２５に１つ又は複数の突出部２６が形成されている。孔開け手段６を芯出し部材２２を中心として回転するとき、突出部２６と内ねじ２４とが係合して孔開け手段６が待機位置BLから孔開け位置HLまでガイドし、屈曲性壁３の部分２１に孔開けを行う。
【００１７】
接続部材１５の内ねじ２４は、孔開け手段６が待機位置（図２参照）から孔開け位置（図３参照）まで１回転以下の回転で到達するピッチとするのが望ましい。
【００１８】
孔開け手段６には、屈曲性壁３の部分２１に孔開けした後、内部接続器具４の開口９に突入する孔開け部材２７を設けることが望ましい。この孔開け部材２７には、結合された２つの接続器具４、５の中心軸Ｃの周りを回転して屈曲性壁３の部分２１に孔開けを行う軸方向に突出した切削刃２８を少なくとも１つ有する孔開け手段６が設けられていることが望ましい。
【００１９】
孔開け手段６には、さらに、屈曲性壁３に孔を開け後の食い込み深さを制限する段部２９が設けられている。さらに、孔開け手段６には、ホース３２接続部３１と貫流路３３を有する、半径方向に延びるハンドル部３０を有することが望ましく、容器１内の液体製品２は、新しく開けられた孔７を通って流出し、貫流路３３を通ってホース３２に流れ、さらに製品２を取り出すための取出し器のポンプ又は弁（図示省略）に流れる。
【００２０】
屈曲性壁３は、外部接続器具５と内部接続器具４とが接続するとき孔が開かない弾力性を有することが望ましい。さらに内部接続器具４は屈曲性壁３の内側に固定されていることが望ましい。
【００２１】
以上に述べた形態は発明を例示するもので、発明を限定するものではない。内部及び外部接続器具４、５は、互いに接続する必須の機能及び接続後に孔を開ける機能を有する限り、特許請求の範囲内で各種の変更が可能である。
【図面の簡単な説明】
【図１】  本発明の容器を構成する部材の斜視図である。
【図２】  図１の容器の閉じた状態での断面図である。
【図３】  図１の容器の開いた状態での断面図である。
【符号の説明】
１・・・容器
２・・・液体製品
３・・・屈曲性壁
５・・・外部接続器具
６・・・孔開け手段
７・・・孔
８・・・内部接続部材
８ａ、８ｂ・・・環状部材
11・・・連結部材
13、14・・・保持部材
15・・・接続手段
16・・・外部接続部材
17、18・・・保持部材
【図１】
0004095177.tif 000002
【図２】
0004095177.tif 000003
【図３】
0004095177.tif 000004